(57)【特許請求の範囲】
【請求項１】
複数の帯電粉末粒子が配置された第１側及び前記第１側と対向する第２側を有する担体と、
前記担体の前記第１側の上に位置し、前記担体の前記第１側から離れており、振動された前記帯電粉末粒子の受取に使用される受取部と、
前記担体と前記受取部との間に電圧差を生成させることで電界を形成するとともに、前記帯電粉末粒子を帯電させる電源部と、
前記担体の前記第２側に位置し、前記担体に作用することで前記担体の前記第１側において前記帯電粉末粒子を振動させることにより、前記帯電粉末粒子を前記担体の前記第１側から離れさせるとともに、前記電界の作用によって前記受取部に舞い上がらせる、少なくとも１つの作用源と、を含み、
前記担体の前記第２側に支持部が配置されており、
前記支持部は、複数の作用源の位置に対応する複数の貫通穴を有することを特徴とする帯電粉末供給装置。
【請求項２】
前記作用源は、衝撃力、流体運動または音波若しくは超音波を提供する請求項１に記載の帯電粉末供給装置。
【請求項３】
前記作用源は、前記担体の前記第２側に接触している請求項１に記載の帯電粉末供給装置。
【請求項４】
前記作用源は、それぞれ前記貫通穴に配置された請求項１に記載の帯電粉末供給装置。
【請求項５】
複数の帯電粉末粒子が配置された第１側及び前記第１側と対向する第２側を有する担体と、
前記担体の前記第１側の上に位置し、前記担体の前記第１側から離れており、振動された前記帯電粉末粒子の受取に使用される受取部と、
前記担体と前記受取部との間に電圧差を生成させることで電界を形成するとともに、前記複数の帯電粉末粒子を帯電させる電源部と、
前記担体の前記第２側に位置し、前記担体に作用することで前記担体の前記第１側において前記帯電粉末粒子を振動させることにより、前記帯電粉末粒子を前記担体の前記第１側から離れさせるとともに、前記電界の作用によって前記受取部に舞い上がらせる、少なくとも１つの作用源と、を含み、
前記担体は、
前記第１側と前記第２側とを貫通する複数の貫通穴と、
前記担体の前記第１側に位置し、前記貫通穴の一端を被覆する搭載部と、を有し、
前記帯電粉末粒子は前記搭載部に配置されていることを特徴とする帯電粉末供給装置。
【請求項６】
前記作用源は、前記担体の前記貫通穴を介して前記搭載部に作用することで、前記帯電粉末粒子を振動させる請求項５に記載の帯電粉末供給装置。
【請求項７】
前記受取部と前記担体の前記第１側との間の距離は、前記担体の任意の隣接する２つの前記貫通穴の間の距離より大きい請求項５に記載の帯電粉末供給装置。
【請求項８】
前記担体は、金属エッチングにより形成された、均一に分散された複数の導線、または均一に分散された複数の突端を有する平面導体構造を有する請求項１または５に記載の帯電粉末供給装置。
【請求項９】
前記電源部は、前記担体の前記第１側に配置されている請求項１または５に記載の帯電粉末供給装置。
【請求項１０】
前記電源部は、隙間を有するグリッドパターンを形成するように、平行にまたは交差して配置され、前記受取部と前記電源部との間の距離が前記隙間の幅より大きい請求項１または５に記載の帯電粉末供給装置。
【請求項１１】
前記担体は、前記第１側と前記第２側とを貫通する複数の貫通穴を有し、
前記電源部は、隙間を有するグリッドパターンを形成するように、平行にまたは交差して配置され、前記担体の任意の隣接する２つの前記貫通穴の間の距離と前記隙間の幅とが整数倍の関係である請求項１または５に記載の帯電粉末供給装置。
【請求項１２】
前記担体は、電界とコロナ放電を生成するための電源部である請求項１または５に記載の帯電粉末供給装置。
【請求項１３】
前記作用源は、衝撃力、流体運動、音波または超音波を提供する請求項５に記載の帯電粉末供給装置。
【請求項１４】
対向する第１側及び第２側と、前記第１側と前記第２側とを貫通する複数の貫通穴と、前記貫通穴に位置する複数のボールと、前記第１側に位置し、前記貫通穴の一端をそれぞれ被覆する複数の搭載部と、を有する担体と、
前記担体の前記第１側の上に位置し、前記担体の前記第１側から離れており、振動された帯電粉末粒子の受取に使用される受取部と、
前記担体と前記受取部との間に電圧差を生成させることで電界を形成するとともに、前記帯電粉末粒子を帯電させる電源部と、
前記担体の前記第２側に位置し、前記担体に作用することで前記担体の前記第１側において前記帯電粉末粒子を振動させることにより、前記帯電粉末粒子を前記担体の前記第１側から離れさせとともに、前記電界の作用によって前記受取部に舞い上がらせる、少なくとも１つの作用源と、を含むことを特徴とする帯電粉末供給装置。
【請求項１５】
前記作用源は、衝撃力、流体運動または音波若しくは超音波を提供する請求項１４に記載の帯電粉末供給装置。
【請求項１６】
前記作用源は、前記担体の前記第２側に接触している請求項１４に記載の帯電粉末供給装置。
【請求項１７】
前記作用源は、前記担体の前記第２側から離れている請求項１４に記載の帯電粉末供給装置。
【請求項１８】
前記作用源は、前記ボールを介して前記搭載部に作用することで、前記帯電粉末粒子を振動させる請求項１４に記載の帯電粉末供給装置。
【請求項１９】
前記搭載部は、それぞれパッドを有する請求項１４に記載の帯電粉末供給装置。
【請求項２０】
前記パッドは、対応する貫通穴に位置する請求項１９に記載の帯電粉末供給装置。
【請求項２１】
前記担体は、前記第２側に位置決めプレートをさらに有する請求項１４に記載の帯電粉末供給装置。
【請求項２２】
前記ボールは、前記位置決めプレートからはみ出る請求項２１に記載の帯電粉末供給装置。
【請求項２３】
前記受取部と前記担体の前記第１側との間の距離は、前記担体の任意の隣接する２つの前記貫通穴の間の距離より大きい請求項１４に記載の帯電粉末供給装置。
【発明の詳細な説明】
【技術分野】
【０００１】
本発明は、物体に均一な粉末層を形成するのに用いられるデバイスに関し、詳しくは、帯電粉末供給装置に関する。
【背景技術】
【０００２】
電子産業の急速な発展に伴い、電気製品は、より軽薄短小となり、高いパフォーマンス、高機能及び高速化へと発展している。
【０００３】
従来のＬＥＤ製造工程において、 蛍光体は、分注（dispensing）またはコーティングにより物体に形成される。コーティングにおいて、物体の異なるエリアにおける蛍光体のコーティング量を制御することが難しいため、異なるエリアの蛍光体が異なる厚さを有することがよくある。また、蛍光体は、拡散工程によりＬＥＤに分散される可能性がある。しかし、蛍光体の拡散方向を制御することは難しい。そのため、ＬＥＤには異なる量の蛍光体が形成される。
【０００４】
図１は、他の産業における従来のコーティング工程を示す。図１に示すように、粉末供給装置１は、複数のマイクロホール（図示せず）を有する流動板１０と、流動板１０の下に配置された供給部１１と、流動板１０の上に配置され、コーティングされる複数の物体１３を有する受取部１２とを含む。流動板１０は粉末８の搭載に用いられる。
【０００５】
操作時に、空気は、空気流Ａが流動板１０の下側に提供されるように、供給部１１により、流動板１０の１つの側面から提供される。そして、空気流Ａが流動板１０のマイクロホールを通過することにより、粉末８が舞い上がり（rise up）、受取部１２に付着する。
【発明の概要】
【発明が解決しようとする課題】
【０００６】
しかし、流動板１０のマイクロホールを通過した後、空気流Ａの方向を制御することが難しいため、方向性のない流れ（undirected flow）、例えば、乱流が生じやすく、特に空気流Ａが受取部１２に到着した後と受取部１２から戻ってくる時に生じやすい。そのため、粉末８は、均一に舞い上がって受取部１２に分散されることができない。その結果、粉末８は物体１３に均一に付着することができない。
【０００７】
さらに、流動板１０のマイクロホールは、サイズが非常に小さいため、マイクロホールの一部は、操作時に粉末８に塞がれ、空気流Ａの通過が阻止されるため、粉末８が受取部１２に均一に付着することが阻止される。
【０００８】
図１に示すコーティング工程がＬＥＤの製造工程に応用された場合、流動板１０を通過した後、空気流Ａは、単一方向に流れることができず、粉末８が均一に舞い上がらない。そのため、粉末８は、受取部１２に配置されたＬＥＤに均一に分散されず、ＬＥＤに形成された蛍光体は高い均一性を有さない。
【０００９】
従って、どのように上記欠点を解消するかが急務となっている。
【課題を解決するための手段】
【００１０】
上記欠点を鑑み、本発明は、
複数の帯電粉末粒子が配置された第１側及び第１側と対向する第２側を有する担体と、
担体の第２側に位置し、担体に作用することで担体の第１側において帯電粉末粒子を振動させることにより、帯電粉末粒子を担体の第１側から離れさせる、少なくとも１つの作用源と、を含む帯電粉末供給装置を提供する。
【００１１】
上述のデバイスにおいて、作用源は、担体の第２側に接触してもよく、担体の第２側から離れてもよい。
【００１２】
上述のデバイスにおいて、担体は、金属エッチングにより形成された、均一に分散された複数の導線、または均一に分散された複数の突端を有する平面導体構造を有してもよい。
【００１３】
上述のデバイスは、担体の第１側に配置された電源をさらに含んでもよい。
【００１４】
１つの実施例において、担体は、電界とコロナ放電を生成するための電源であってもよい。 
【００１５】
本発明に係る他の帯電粉末供給装置は、
対向する第１側及び第２側と、第１側と第２側とを貫通する複数の貫通穴と、貫通穴に位置する複数のボールと、第１側に位置し、貫通穴の一端をそれぞれ被覆する複数の搭載部と、を有する担体と、
担体の第２側に位置し、担体に作用することで担体の第１側において帯電粉末粒子を振動させることにより、帯電粉末粒子を担体の第１側から離れさせる、少なくとも１つの作用源と、を含み、
搭載部は、複数の帯電粉末粒子の搭載に使用される。
【００１６】
上述のデバイスにおいて、担体は、第２側に位置決めプレートをさらに有してもよい。さらに、ボールは、位置決めプレートからはみ出てもよい。
【発明の効果】
【００１７】
従って、本発明では、帯電粉末供給装置により、物体に粉末層を形成する。作用力は、担体に作用することで、帯電粉末粒子を振動させ、帯電粉末粒子を担体から離れさせ、電界の効果に基づき、物体に付着させる。本発明は、担体を介して帯電粉末粒子を振動させることにより、担体のそれぞれの振動位置において作用力を効率よく制御でき、これにより、担体のそれぞれの振動位置における帯電粉末粒子は、均一の高さを有する。その結果、帯電粉末粒子は、均一に物体に付着する。
【図面の簡単な説明】
【００１８】
【図１】従来の粉末供給装置の断面概略図である。
【図２】図２は、本発明の実施例１による帯電粉末供給装置の断面概略図である。
【図２．ａ】図２．ａは、本発明の実施例１による帯電粉末供給装置の断面概略図である。
【図２．ｂ】図２．ｂは、本発明の実施例１による帯電粉末供給装置の断面概略図である。
【図３】図３は、本発明の実施例２による帯電粉末供給装置の断面概略図である。
【図３．ａ】図３．ａは、本発明の実施例２による帯電粉末供給装置の一部の平面図である。
【図４Ａ】図４Ａは、本発明の実施例３による帯電粉末供給装置の断面概略図である。
【図４Ａ．ａ】図４Ａ．ａは図４Ａの一部の平面図である。
【図４Ｂ】図４Ｂは、本発明の実施例３による帯電粉末供給装置の断面概略図である。
【図４Ｃ】図４Ｃは、本発明の実施例３による帯電粉末供給装置の断面概略図である。
【図５】本発明による、担体に配置された電源（power supplies）を有する帯電粉末供給装置の断面概略図である。
【図６Ａ】図６Ａは、本発明の実施例４による帯電粉末供給装置を示す断面概略図である。
【図６Ｂ】図６Ｂは、本発明の実施例４による帯電粉末供給装置を示す断面概略図である。
【図６Ａ．ａ】図６Ａ．ａは図６Ａの一部の平面図である。
【図６Ａ．ｂ】図６Ａ．ｂは図６Ａの一部の平面図である。
【発明を実施するための形態】
【００１９】
以下の例示的な実施例は、本発明の開示内容の説明に使用され、当業者は、本明細書の記載内容により、本発明の利点と効果を理解することができる。
【００２０】
全ての図面は本発明を限定することを意図するものではないことに留意すべきである。本発明の趣旨を逸脱しない範囲において、多様な改良とバリエーションが可能である。さらに、「第１」、「第２」、「上」、「１つ」等の用語は、単なる例示を意図するものであり、本発明の範囲を制限するものと解釈されてはならない。
【００２１】
下記実施例において、作用源２１は、帯電粉末を振動させる作用力、例えば衝撃力、流体運動、または音波若しくは超音波を提供する。コーティングされる物体は、例えばＬＥＤエレメントであってもよい。
【００２２】
本発明は、帯電粉末を振動させる振動源を提供し、従来の気流の力を使用しない。担体における電界の効果に基づき、本発明は、帯電粉末を受取部に均一に付着させることにより、均一な粉末層を形成する。好ましくは、粉末の振動の高さの構成により、より均一な粉末層を形成することが可能である。
【００２３】
図２、図２．ａ及び図２．ａは、本発明の実施例１による帯電粉末供給装置２、２’、２’’を示す断面概略図である。
【００２４】
図２に示すように、帯電粉末供給装置２は、担体２０と、作用源２１と、受取部２２とを含む。
【００２５】
担体２０は、粉末９が配置された第１側２０ａと、第１側２０ａと対向する第２側２０ｂとを有する。粉末９は、複数の粉末粒子９０と接着剤９１とを有する。接着剤９１は、例えば固体粒子の形態である。接着剤９１は、粉末粒子９０に付着し、または粉末粒子９０から離れて、あるいは、粉末粒子９０を包含（encapsulate）する。粉末粒子９０は、蛍光体、ナノチューブ、量子ドット、カーボンチューブまたはグラフェン粒子であってもよい。
【００２６】
作用源２１は、担体２０の第２側２０ｂに位置し、かつ第２側２０ｂから離れ、担体２０に作用することにより、担体２０の第１側２０ａにおける粉末粒子９０と接着剤９１を振動させる。接着剤９１は、固体粒子の形態である。接着剤９１は、粉末粒子９０に付着し、または粉末粒子９０から離れ、あるいは、粉末粒子９０を包含（encapsulate）する。
【００２７】
受取部２２は、担体２０の第１側２０ａの上に位置し、担体２０の第１側２０ａから離れており、振動された帯電粉末粒子９０と接着剤９１の受取に使用される。受取部２２は、コーティングされる複数の物体２３、例えばＬＥＤエレメントを搭載できるため、帯電粉末粒子９０と接着剤９１がＬＥＤエレメントに形成される。
【００２８】
図２．ａに示すように、帯電粉末供給装置２’は複数の作用源２１’を有してもよく、作用源２１’は、担体２０の第２側２０ｂに接触してもよい。作用源２１’は、衝撃力または流体運動を提供するバンプまたは水柱でもよい。
【００２９】
帯電粉末供給装置２、２’の操作時において、作用源２１、２１’は、方向Ｂにおいて担体２０に対して作用力の提供を開始して担体２０を振動させることで、担体２０の第１側２０ａ上に、帯電粉末９０と接着剤９１の振動を引き起こす。さらに、電界の効果に基づき、振動された帯電粉末粒子９０と接着剤９１は、担体２０の第１側２０ａから離れ、受取部２２に舞い上がる。そして、帯電粉末粒子９０は、接着剤９１により、物体に付着する。
【００３０】
従って、作用源２１が担体２０を振動させ、帯電粉末粒子９０と接着剤９１の振動を起こした後、帯電粉末粒子９０と接着剤９１は、物体に付着するように、電界によって案内される。担体２０と受取部２２の間に垂直上方への力に影響を及ぼす他の外力（例えば、従来の空気流の力）がない。そのため、帯電粉末粒子９０と接着剤９１の方向は、帯電粉末粒子９０と接着剤９１がそれぞれの振動位置に均一な高さを有し、粉末粒子９０が物体２３に均一に付着するように、効率よく制御することができる。
【００３１】
図２．ｂに示すように、帯電粉末供給装置２’’はさらに支持部２４を有する。支持部２４は、複数の担体２０’と対応する位置に形成された複数の貫通穴２４０を有し、それぞれ担体２０’によって被覆される。また、単一の担体２０’は、全ての貫通穴２４０を被覆するように提供されても良い。そして、作用源２１’からの作用力は、互いに干渉することなく、貫通穴２４０を介し、担体２０’に伝送されてもよく、これによって担体２０’に均一な力を加える。さらに、作用源２１’は、支持部２４の貫通穴２４０に受け入れられてもよい。加えて、担体２０’は、支持部２４に緊密に接合されても良い。
【００３２】
図３及び図３．ａは、本発明の実施例２による帯電粉末供給装置３の断面概略図と一部の平面図である。この実施例は、担体３０と物体３３の構成において実施例１と異なる。
【００３３】
図３及び図３．ａに示すように、担体３０は、第１側３０ａと第２側３０ｂとを貫通する複数の貫通穴３００と、第１側３０ａに位置し、貫通穴３００の一端を被覆する搭載部３０１とを有する。搭載部３０１は、粉末９’の搭載に使用される。作用源２１は、貫通穴３００を介し、搭載部３０１に作用することで、粉末粒子９０と接着剤９１を振動させる。接着剤９１は固体粒子の形態である。接着剤９１は、粉末粒子９０に付着し、または粉末粒子９０から離れ、あるいは、粉末粒子９０を包含する。
【００３４】
この実施例において、搭載部３０１はフィルムまたはプレートである。搭載部３０１の材料と厚さは、搭載部３０１において、粉末粒子９０と接着剤９１の振動を引き起こすのに適している。
【００３５】
さらに、受取部２２と担体３０の第１側３０ａとの間の距離ｄは、任意の隣接する２つの貫通穴３００の間の距離ｔよりも大きい。好ましくは、距離ｄは、距離ｔの５倍より大きく、すなわち、ｄ＞５ｔである。
【００３６】
さらに、大型の物体３３、例えば自動車部品は、受取部２２に配置されても良い。
【００３７】
加えて、搭載部３０１は担体３０に緊密に接合される。
【００３８】
帯電粉末供給装置３の操作時において、作用源２１は、貫通穴３００にて方向Ｂにおいて作用力の提供を開始して搭載部３０１を振動させることで、搭載部３０１上に、帯電粉末９０と接着剤９１の振動を引き起こす。さらに、電界の効果に基づき、振動された帯電粉末粒子９０と接着剤９１は、搭載部３０１から離れ、受取部２２に舞い上がる。そして、帯電粉末粒子９０は、接着剤９１により、物体３３に付着する。
【００３９】
従って、作用源２１が搭載部３０１を振動させ、帯電粉末粒子９０と接着剤９１の振動を起こした後、帯電粉末粒子９０と接着剤９１は、電界によって案内され、物体３３に付着する。そのため、帯電粉末粒子９０と接着剤９１の方向は、物体３３における帯電粉末粒子９０の均一性が確保されるように効率よく制御することができる。
図４Ａ〜４Ｃは、本発明の実施例３による帯電粉末供給装置４、４’、４’’を示す断面概略図である。この実施例は、担体４０の構成において実施例２と異なる。
【００４０】
図４Ａ及び図４Ａ．ａに示すように、担体４０は、第１側４０ａと第２側４０ｂとを貫通する複数の貫通穴４００と、貫通穴４００に位置する複数のボール４０２と、担体４０の第１側４０ａに位置し、貫通穴４００の一端をそれぞれ被覆する搭載部４０１とを有する。搭載部４０１は、粉末９の搭載に使用される。ボール４０２は、担体４０の第２側４０ｂから露出する。作用源２１は、ボール４０２を介し、搭載部４０１に衝撃力を提供することで、帯電粉末粒子９０と接着剤９１を振動させる。接着剤９１は固体粒子の形態である。接着剤９１は、粉末粒子９０に付着し、または粉末粒子９０から離れ、あるいは、粉末粒子９０を包含（encapsulate）する。
【００４１】
この実施例において、搭載部４０１は、分離されたフィルムまたはプレートである。搭載部４０１の材料と厚さは、搭載部４０１において、粉末粒子９０と接着剤９１の振動を引き起こすのに適している。
【００４２】
さらに、受取部２２と担体４０の第１側４０ａとの間の距離ｈは、任意の隣接する２つの貫通穴４００の間の距離ｒよりも大きい。好ましくは、距離ｈは、距離ｒの５倍より大きく、すなわち、ｈ＞５ｒであり、これにより、物体における粉末粒子９０の好ましい均一性を達成する。
【００４３】
さらに、それぞれの搭載部４０１は、対応する貫通穴４００に位置するパッド４０１ａを有する。ボール４０２を介してパッド４０１ａに衝撃を加えることにより、搭載部４０１における粉末粒子９０と接着剤９１が振動される。パッド４０１ａは、プラスチックまたは金属で作られても良い。他の実施例において、パッド４０１ａは搭載部４０１の上に位置してもよい。
【００４４】
加えて、担体４０は、第２側４０ｂ上に位置決めプレート４０３を有し、貫通穴４００にボール４０２を受け入れる。ボール４０２は、ボールの形を有してもよく、対称の形を有する任意のブロックでもよい。位置決めプレート４０３は、担体４０の貫通穴４００の位置に対応する複数のスルーホール４０３ａを有し、ボール４０２の直径より小さい幅を有する。位置決めプレート４０３によって支持されているため、ボール４０２は、貫通穴４００内に受け入れられ、貫通穴４００から落ちることはない。さらに、それぞれのボール４０２は、対応する位置決めプレート４０３の貫通穴４０３ａを介し、第２側４０ｂから部分的に露出する。従って、作用源２１は、位置決めプレート４０３の貫通穴４０３ａを介し、ボール４０２に作用することで、搭載部４０１（またはパッド４０１ａ）に衝撃を加える。加えて、位置決めプレート４０３が、同じ位置で同じ方向にボール４０２を支持することで、搭載部４０１が、衝撃を加えられ、且つ同じ位置で作用力を受けることを確保する。
【００４５】
帯電粉末供給装置４の操作時において、作用源２１が、方向Ｂにおいてボール４０２への作用力の提供を開始すると、ボール４０２が上昇して搭載部４０１（またはパッド４０１ａ）に衝撃が加えられ、搭載部４０１上に帯電粉末粒子９０と接着剤９１を振動させる。さらに、電界の効果に基づき、振動された帯電粉末粒子９０と接着剤９１は、搭載部４０１から離れ、受取部２２に舞い上がる。そして、帯電粉末粒子９０は、接着剤９１により、物体２３に付着する。 
【００４６】
従って、作用源２１が搭載部４０１を振動させることで、帯電粉末粒子９０と接着剤９１の振動を起こした後、帯電粉末粒子９０と接着剤９１は、電界により案内され、物体２３に付着する。そのため、帯電粉末粒子９０と接着剤９１の方向は、物体２３における帯電粉末粒子９０の均一性が確保されるように効率よく制御することができる。
【００４７】
図４Ｂに示すように、搭載部４０１’は、連続するフィルムまたはプレートの形態である。さらに、それぞれの作用源４１は、対応するボール４０２に衝撃を加えるための当接構造を有し、これによってボール４０２に与える好ましい衝撃力を提供する。
【００４８】
図４Ｃに示すように、作用源４１’は、平らな板であり、ボール４０２’は、作用源４１’が効率よくボール４０２’の中央部に作用するように、位置決めプレート４０３の貫通穴４０３ａからはみ出る。従って、搭載部４０１’’は、好ましい位置でボール４０２’によって衝撃が加えられることで、粉末粒子９０と接着剤９１を垂直上方に移動させ、物体２３における粉末粒子９０の均一性を確保する。
【００４９】
さらに、それぞれの搭載部４０１が１つの貫通穴４００を被覆する図４Ａと異なり、図４Ｃの搭載部４０１’’は複数の貫通穴４００を被覆する。
【００５０】
図５は、本発明による、担体５０に配置された電源を有する帯電粉末供給装置の断面概略図である。
【００５１】
図５に示すように、均一に分散された複数の導線５００、または均一に分散された複数の突端を有する平面導体構造５００’は、金属エッチングにより担体５０に形成される。導線５００または平面導体構造５００’は、グリッドパターンを形成するように平行または交差して配置されてもよい。
【００５２】
帯電粉末供給装置５の操作時において、高い負のＤＣ電圧が担体５０に印加されることで、電界が生成され、均一に分散された導線５００または突端によりコロナ放電が生成され、粉末粒子９０と接着剤９１を負に帯電させる（図５においてマイナスの符号で示す）。接着剤９１は固体粒子の形態である。接着剤９１は、粉末粒子９０に付着し、または粉末粒子９０から離れ、あるいは、粉末粒子９０を包含する。均一な電界が担体５０と受取部２２との間に形成されると、作用源２１は、帯電粉末粒子９０と接着剤９１を振動させ始める。そして、帯電粉末粒子９０と接着剤９１の物体２３への付着は、電界の効果に基づき、加速される。 
【００５３】
従って、作用源２１が担体５０を振動させ、帯電粉末粒子９０と接着剤９１の振動を起こした後、帯電粉末粒子９０と接着剤９１は、電界によって、物体２３に案内され、引き込まれる。担体５０と受取部２２との間の垂直上方への力（電気引力）は強化される。そのため、帯電粉末粒子９０と接着剤９１の方向は、物体２３における帯電粉末粒子９０の均一性が確保されるように、効率よく制御することができる。
【００５４】
他の実施例において、担体５０は、正に帯電してもよい。
【００５５】
図６Ａ及び図６Ｂは、本発明の実施例４による帯電粉末供給装置６、６’の断面概略図である。
【００５６】
図６Ａに示すように、複数の電源６５が、担体２０の第１側２０ａに配置され、担体２０に電荷を提供することで、担体２０と受取部２２との間に均一な電界が生成される。さらに、上述の通り、粉末粒子９０と接着剤９１は、コロナ放電により負に帯電する（図においてマイナスの符号で示す）。接着剤９１は固体粒子の形態である。接着剤９１は、粉末粒子９０に付着し、または粉末粒子９０から離れ、あるいは、粉末粒子９０を包含する。他の実施例において、粉末粒子９０と接着剤９１は正に帯電してもよい。
【００５７】
この実施例において、電源６５は、粉末粒子９０と接着剤９１の上に配置される。また、粉末粒子９０と接着剤９１は、電源６５上に配置されてもよく、または、電源６５は、粉末粒子９０と接着剤９１に配置されてもよい。
【００５８】
電源は、隙間を有する図６Ａ．ａのグリッドパターン６５または図６Ａ．ｂのグリッドパターン６５’を形成するように、交差または平行して配置されてもよく、これによって粉末粒子９０と接着剤９１を通らせる。
【００５９】
図６Ａ、図６Ａ．ａ及び図６Ａ．ｂに示すように、受取部２２と電源６５との間の距離Ｌは、グリッドパターン６５、６５’における隙間の幅Ｗ、Ｗ’より大きい。 好ましくは、距離Ｌは、隙間の幅Ｗ、Ｗ’の５倍より大きく、すなわち、Ｌ＞５ＷまたはＬ＞５Ｗ’である。
【００６０】
さらに、担体３０、４０が複数の貫通穴３００、４００を有する場合、任意の隣接する２つの貫通穴３００、４００の間の距離Ｄ、Ｄ’、Ｄ’’及び隙間の幅Ｗ、Ｗ’は、整数倍の関係である。例えば、Ｗ＝Ｄ、２Ｗ=Ｄ’、Ｗ’＝２Ｄ”である。図６Ａ．ａ及び図６Ａ．ｂに示すように、貫通穴３００、４００は、同じ量の粉末粒子９０と接着剤９１が振動されて貫通穴３００、４００を通るように、隙間に均一に配置される。
【００６１】
帯電粉末供給装置６の操作時において、コーティングされる物体２３は、グランド電位または特定の電位に維持され、そして、作用源２１は、担体２０上における帯電粉末粒子９０と接着剤９１を振動させる。電源６５、６５’とコーティングされる物体２３との間の電界の効果に基づき、帯電粉末粒子９０と接着剤９１は、早い速度で物体２３に付着する。
【００６２】
さらに、図６Ｂに示すように、担体２０は、正に帯電してもよく、これによって電界を生成し、粉末粒子９０と接着剤９１は正に帯電する（図においてプラスの符号で示す）。他の実施例において、担体２０は負に帯電してもよい。
【００６３】
従って、作用源２１が担体２０を振動させ、帯電粉末粒子９０と接着剤９１の振動を起こした後、帯電粉末粒子９０と接着剤９１は、担体２０と受取部２２との間の垂直上方への力（電気引力）によって物体２３に案内され、付着する。そのため、帯電粉末粒子９０と接着剤９１の方向は、物体２３における帯電粉末粒子９０の均一性が確保されるように、効率よく制御することができる。
【００６４】
従って、本発明の帯電粉末供給装置は、作用源を介し、担体に作用し、帯電粉末粒子を振動させることで、帯電粉末粒子を担体から離れさせ、これによって物体に付着させる。帯電粉末粒子の移動方向に影響を及ぼす他の外力がないため、本発明は、物体における帯電粉末粒子の均一性を向上させる 。
【００６５】
さらに、本発明の帯電粉末供給装置は、従来の空気流の力の代わりに、振動力を提供することで、乱流などによる粉末粒子の非均一な舞い上がりという従来の欠点を解消する。
【００６６】
本発明は、非帯電粉末粒子に適用することも可能である。その場合、非帯電粉末粒子と接着剤は、振動力により、コーティングされる物体に付着する。コーティングされる物体は加熱された物体でもよい。 
【００６７】
上記詳細な実施例の説明は、単に本発明による好ましい実例を説明するものに過ぎず、本発明の範囲を制限するものではない。また、当業者によってなされる全ての改良とバリエーションは、本発明の特許請求の範囲の範囲に含まれる。 
【符号の説明】
【００６８】
１  粉末供給装置
１０  流動板
１１  供給部
１２，２２  受取部
１３，２３，３３  物体
２，２’，２”，３，４，４’，４”，５，６，６’  帯電粉末供給装置
２０，２０’，３０，４０，５０  担体
２０ａ，３０ａ，４０ａ  第１側
２０ｂ，３０ｂ，４０ｂ  第２側
２１，２１’，４１，４１’  作用源
２４  支持部
２４０, ３００，４００，４０３ａ  貫通穴
３０１，４０１，４０１’，４０１”  搭載部
４０１ａ    パッド
４０２，４０２’  ボール
４０３  位置決めプレート
５００  導線
５００’   平面導体構造
６５，６５’  電源（グリッドパターン）
８，９，９’  粉末
９０  粉末粒子（帯電粉末粒子）
９１  接着剤
Ａ  空気流
Ｂ  方向
Ｌ，Ｄ，Ｄ’，Ｄ”，ｄ，ｔ，ｈ，ｒ  距離
Ｗ，Ｗ’  幅
【図１】
0005932941.tif 000002
【図２】
0005932941.tif 000003
【図２．ａ】
0005932941.tif 000004
【図２．ｂ】
0005932941.tif 000005
【図３】
0005932941.tif 000006
【図３．ａ】
0005932941.tif 000007
【図４Ａ】
0005932941.tif 000008
【図４Ａ．ａ】
0005932941.tif 000009
【図４Ｂ】
0005932941.tif 000010
【図４Ｃ】
0005932941.tif 000011
【図５】
0005932941.tif 000012
【図６Ａ】
0005932941.tif 000013
【図６Ｂ】
0005932941.tif 000014
【図６Ａ．ａ】
0005932941.tif 000015
【図６Ａ．ｂ】
0005932941.tif 000016